(57)【要約】【課題】水平方向に開閉する開き戸に設けられたラッチ錠の仮錠止手段をロック又はロック解除を行う摘み式操作部材を、該扉の内壁面から外方向へ極力突出させないようにすること。【解決手段】ラッチ錠の錠箱の後壁に形成した案内開口からラッチ錠の仮錠止手段を構成する長板状の解除片の後端部を貫通状態に露出させ、一方、把手用取付け台座をその背面凸状部分が前記錠箱の幅広側壁に重ならないように扉の内壁に形成した窓状開口部に嵌合固定し、解除片の後端部と把手用取付け台座に水平方向に摺動するように設けられた摘み操作部分を有するサムターン代用スライド操作部材とを連結した建具の扉用施錠装置。【選択図】図４
2012211497.tif 000002
【特許請求の範囲】
【請求項１】
ラッチ錠の錠箱の後壁に形成した案内開口からラッチ錠の仮錠止手段を構成する長板状の解除片の後端部を貫通状態に露出させ、一方、把手用取付け台座をその背面凸状部分が前記錠箱の幅広側壁に重ならないように扉の内壁に形成した窓状開口部に嵌合固定し、前記解除片の後端部と前記把手用取付け台座に水平方向に摺動するように設けられた摘み操作部分を有するサムターン代用スライド操作部材とを連結した建具の扉用施錠装置。
【請求項２】
請求項１に於いて、スライド操作部材は、連結杆を介して解除片の後端部に連結され、かつ把手用取付け台座の背面凸状部分の一端部に固定された案内レールに案内されるスライダーと、表側に扁平板状の摘み操作部分を有すると共に裏側に前記スライダーの被係合突片部分と係合する係合部分を有し、かつ把手用取付け台座の前壁に形成した嵌合長孔に嵌合する操作板本体とから成ることを特徴とする建具の扉用施錠装置。
【請求項３】
請求項１又は請求項２に於いて、扉の外壁にも内壁側の窓状開口部に対応する外壁側の窓状開口部が形成され、該外壁側の窓状開口部に外側の把手用取付け台座が嵌合固定されていると共に、該外側の把手用取付け台座に設けた非常用スライド操作部材が互いの係合部分を介してサムターン代用のスライド操作部材に連結されていることを特徴とする建具の扉用施錠装置。
【発明の詳細な説明】
【技術分野】
【０００１】
本発明は、水平方向に開閉する扉（開き戸）に取り付けられる建具の扉用施錠装置に関し、特に、ラッチ錠の仮錠止手段をロック又はロック解除を行う摘み式操作部材を扉の内壁側に設けた建具の扉用施錠装置に関する。
【背景技術】
【０００２】
まず、特許文献１は、出願人が提案した扉錠の解錠機構である。この扉錠の解錠機構の主たる目的は、公園等のトイレのドアを開閉する際に、バリヤ・フリーの観点から、身体障害者や高齢者がワンタッチ操作で施錠片を解錠することができることである。そのために、扉の内壁面に縦方向に切欠部１５を有する取付けベース１１を固定し、この取付けベース１１の前記切欠部１５に位置するように上下の軸受け１７、３０を介して該取付けベース１１に縦長状タッチプレート１１を傾倒状態に軸支し、前記頭部に背面側に固定軸２４及び可動軸３７を介して設けられたＴ字形状の駆動片３６の駆動腕３９を扉錠の錠箱８の底壁の嵌合部４３から下端部（一部）が突出した縦長状駆動片３６に係合させている。
【０００３】
そして、室内から扉錠のボルト部材１２を錠箱内に後退動させる場合には、前記タッチプレート１１の頭部（上端部）１６をプッシュする。そうすると、前記駆動腕３９が、前記縦長状駆動片３６を下方方向へと引っ張るので、錠箱内のリンク４２を介して前記ボルト部材１２を戸枠の受け金具２から後退させることができる（符号は特許文献１のもの）。
【０００４】
この特許文献１には、（ａ）操作部材１１用の取付け台座に相当する取付けベース１１が、錠箱１の幅広側壁と極力重ならないように扉７の内壁面７ａに固定されている点、（ｂ）縦長状駆動片３６の内端部に相当する上端部が錠箱８内に貫入し、一方、外端部に相当する後端部４１ｂが錠箱８の底壁部から突出状態に垂下している点、がそれぞれ開示されている。
【０００５】
しかし、この特許文献１の所期の目的は、身体障害者や高齢者がワンタッチ操作でデッドボルトに相当する施錠片を解錠することであり、取付けベース１１、縦長状タッチプレート１１等の部材を扉７の内壁面７ａから外方向へ極力突出させないようにすることではない。
【０００６】
また、特許文献１のタッチプレート１１側の縦長状駆動片３６と錠箱８の底壁側の駆動片３６との連結（係合）は、あくまでも、タッチプレート１１をプッシュ操作して施錠片としてのボルト部材１２を戸枠の受け金具２から後退させることであって、扉錠のボルト部材１２をロックしている錠止機構のロックを解くものではない。付言すると、特許文献１のタッチプレート１１の操作は、本発明のように、ラッチ錠のラッチに対する仮錠止機構のロックを解くものではない。
【０００７】
次に、特許文献２の図２、図４（ａ）、（ｂ）等を参照にすると、錠箱３に、該錠箱の後壁から後端部が突出する解除板９を水平動可能に設け、該解除板９の錠箱内の先端部を錠箱内に軸支された鎌片５の基端部側に連結すると共に、該解除板９の後端部に平面視Ｌ字形状の被押圧部分を形成し、一方、扉の窓状開口に固定的に嵌め込まれた引手４内に作動部材１２を内設し、該作動部材１２を、引手４の開く方向へプッシュ操作すると、前記作動部材１２の傾斜状内端部が該引手４に軸支されたレバー１１の基端部側を押すようにして該レバー１１を回転させると共に、該レバー１１の先端部でもって前記解除板９の被押圧部分を押し込む引戸用錠が記載されている。
【０００８】
この特許文献２にも、（ａ１）操作部材１２用の取付け台座に相当する引戸用引手４が、錠箱４の幅広側壁と極力重ならないように引戸（扉）１の内壁面に固定されている点、（ｂ１）解除板９の内端部に相当する先端部が錠箱３内に貫入し、一方、外端部に相当する後端部が錠箱３の後壁部から突出する点、がそれぞれ開示されている。
【０００９】
しかし、この特許文献２の所期の目的は、引戸１の開戸時に、該引戸の戸先から突起物（鎌片の先端部）が突出しないことであり、本発明の如く、把手用取付け台座に設けた「サムターン代用のスライド操作部材」を扉の内壁面から極力外方向へ突出しないすることではない。また、特許文献２の引戸用錠は、施錠片に相当する鎌片をロック解消の位置へ復帰させるために板状の解除板９の一部を錠箱の後壁から突出させ、これに引手４側のレバー１１及び操作片１１２を連係させたものであり、本発明の如く、水平方向に開閉する扉（開き戸）に設けられたラッチ錠の仮錠止手段をロック又はロック解除を行う摘み式操作部材の構成に関するものではない。
【先行技術文献】
【特許文献】
【００１０】
【特許文献１】特開２００１−１９３３３１号公報
【特許文献２】特開２００３−２４７３６８号公報
【発明の概要】
【発明が解決しようとする課題】
【００１１】
本願発明の所期の目的は、水平方向に開閉する扉（開き戸）に設けられたラッチ錠の仮錠止手段をロック又はロック解除を行う摘み式操作部材を、該扉の内壁面から外方向へ極力突出させないようにすることである。第２の目的は、把手用取付け台座の背面凸状部分の端部（例えば上端部）にサムターン代用スライド操作部材を容易に取付けることができることである。第３の目的は、サムターン代用スライド操作部材がロック位置とロックを解消する位置へとスムースに移動することである。第４の目的は、付随的目的として、外側の把手用取付け台に設けた非常用スライド操作部材も、サムターン代用スライド操作部材と同様に、扉の外壁面から外方向へ極力突出させないようにすると共に、非常時、室外から外側の非常用スライド操作部材を操作してロック状態を解消させることができることである。
【課題を解決するための手段】
【００１２】
本発明の建具の扉用施錠装置は、ラッチ錠の錠箱の後壁に形成した案内開口からラッチ錠の仮錠止手段を構成する長板状の解除片の後端部を貫通状態に露出させ、一方、把手用取付け台座をその背面凸状部分が前記錠箱の幅広側壁に重ならないように扉の内壁に形成した窓状開口部に嵌合固定し、前記解除片の後端部と前記把手用取付け台座に水平方向に摺動するように設けられた摘み操作部分を有するサムターン代用スライド操作部材とを連結したことを特徴とする。
【００１３】
上記構成に於いて、スライド操作部材は、連結杆を介して解除片の後端部に連結され、かつ把手用取付け台座の背面凸状部分の一端部に固定された案内レールに案内されるスライダーと、表側に扁平板状の摘み操作部分を有すると共に裏側に前記スライダーの被係合突片部分と係合する係合部分を有し、かつ把手用取付け台座の前壁に形成した嵌合長孔に嵌合する操作板本体とから成ることを特徴とする。
【００１４】
また、扉の外壁にも内壁側の窓状開口部に対応する外壁側の窓状開口部が形成され、該外壁側の窓状開口部に外側の把手用取付け台座が嵌合固定されていると共に、該外側の把手用取付け台座に設けた非常用スライド操作部材が互いの係合部分を介してサムターン代用のスライド操作部材に連結されていることを特徴とする。
【発明の効果】
【００１５】
（ａ）水平方向に開閉する扉（開き戸）に設けられたラッチ錠の仮錠止手段をロック又はロック解除を行う摘み式操作部材を、該扉の内壁面から外方向へ極力突出させないように把手用取付け台座に設けることができる。
（ｂ）スライド操作部材は、長板状の解除片の後端部に連結され、かつ把手用取付け台座の背面凸状部分に固定された案内部材に案内されるスライダーと、表側に扁平板状の摘み操作部分を有すると共に、裏側に前記スライダーの被係合突片部分と係合する操作板本体とから成るので、例えばスライダーを案内部材に配設した後に互いの被係合突片部分と係合部分（係合手段）を介して操作板本体を把手用取付け台座の正面側から結合させることができる。またスライド操作部材は、その操作板本体は嵌合長孔に嵌合しているので、その扁平板状の摘み操作部分を摘んでスムースに操作をすることができる。
（ｃ）扉の外壁にも内壁側の窓状開口部に対応する外壁側の窓状開口部が形成され、該外壁側の窓状開口部に外側の把手用取付け台座が嵌合固定されていると共に、該外側の把手用取付け台座に設けた非常用スライド操作部材が互いの係合部分を介してサムターン代用のスライド操作部材に連結されているので、非常用スライド操作部材側に施錠状態に関する識別機能を持たせることができると共に、非常時には、室外から非常用スライド操作部材を操作してラッチ錠のロック状態を解消することができる。なお、非常用スライド操作部材も、機能上摘み操作部分と同様の操作機能を有する実施形態の場合には、（ａ）と同一の効果を有する。
【図面の簡単な説明】
【００１６】
図１乃至図１０は、本発明の第１実施形態を示す各説明図。図１２及び図１３は本発明の第２実施形態を示す各説明図。
【図１】室内側から扉の内壁面側を見た概略説明図。
【図２】扉の自由端部に内装されたラッチ錠の錠箱と、扉の内壁側の窓状開口部に嵌め込まれた把手用取付け台座と、解除片と、サムターン代用スライド操作部材の一部等の概略説明図。
【図３】平面視から見た概略説明図。
【図４】主要部を含む全体の環境を上方から見た斜視図（扉を省略）。
【図５】サムターン代用スライド操作部材と、連結手段と、解除片等の斜視からの説明図。
【図６】ラッチ錠の仮錠止手段がロックされた状態の説明図（錠箱の背面側から見ている）
【図７】ラッチ錠の仮錠止手段がロック解除された状態の説明図（錠箱の背面側から見ている）。
【図８】非常用スライド操作部材の分解斜視図。
【図９】サムターン代用スライド操作部材、非常用スライド操作部材の係合状態等を上方から示す説明図。
【図１０】サムターン代用スライド操作部材と非常用スライド操作部材の係合状態を示す概略説明図。
【図１１】ラッチの他例を示す説明図。
【図１２】発明の第２実施形態を示す図１と同様の図。
【図１３】図１２に於いて、錠箱の内部構造を示す概略説明図。
【発明を実施するための最良の形態】
【００１７】
図１乃至図１０は本発明の第１実施形態を示す各説明図である。
【００１８】
（１）環境部材
図１は室内側から扉の内壁面側を見た概略説明図である。この図１に於いて、Ｘはラッチ錠、１は戸枠（図左側）、２は戸枠に設けた受け金具、３は水平方向に開閉する扉（開き戸）、３ａは扉３の自由端部の端面、４はラッチ錠の錠箱、５は扉３の窓状開口部６に嵌め込まれ、かつフランジ部分５ａ及び背面凸状部分５ｂを有する室内側の把手用取付け台座、７は把手用取付け台座の形成された凹所８内に配設された把手、そして、９は扉３の端面３ａから突出するラッチである。
【００１９】
該ラッチ９は、施錠状態の時は錠箱４内に組み込まれたロック片、該ロック片と連係する解除片等を備えた仮錠止手段１０によってロックされ、一方、解錠状態の時は仮錠止手段１０のロック状態は解消される。この仮錠止手段１０の施・解錠は、実施形態では、少なくとも室内側の把手用取付け台座５の上端部に組み込んだサムターン代用スライド操作部材１１の操作力によって成される。
【００２０】
（２）ラッチ錠Ｘの仮錠止手段１０
図２は扉３の自由端部に内装されたラッチ錠Ｘの錠箱４と、扉３の内壁側の窓状開口部６に嵌め込まれた室内側の把手用取付け台座５と、ラッチ錠Ｘの仮錠止手段１０と、サムターン代用スライド操作部材１１の一部とを概略的に示し、本発明の特定要件ではない事項（例えば把手７の操作力に基づく施・解錠機構）は割愛してある。
【００２１】
この図２に於いて、ラッチ錠Ｘは、反転ラッチ９と、コ字形状のラッチ枠１２と、反転ラッチ９を常に突出方向へ付勢するラッチバネ１３と、基端部が不番の固定軸に軸支されかつその係合端部が前記ラッチ枠１２の切欠部分を介して反転ラッチ９の内端部に係脱するロック片１４と、このロック片と連係すると共に、制御バネ（例えばクリック機能を有するメガネバネ）１６に制御される回動体１５と、該回動体を介して前記ロック片１４と連係する解除片１７とを備えている。
【００２２】
仮錠止手段１０の各部材の細部的事項の説明は割愛するが、前記制御バネ１６の一端部は錠箱４の後壁４ａ付近に設けたバネ端支持部１８に取り付けられ、その他端部は回動体１５に突設した可動ピン１９に連結されている。可動ピン１９は、錠箱４の幅広側壁４ｂに弧状に形成された案内部分（例えば案内長孔）２０に案内され、制御バネ１６の開脚変位に対応して一端から他端へと位置変位する。
【００２３】
また、前記回動体１５は幅広の盤状に形成され、その中央部には不番の支軸が設けられていると共に、不番の連結ピンを介して解除片１７の先端部（内端部）１７ａに連結されている。
【００２４】
したがって、ラッチ錠Ｘの仮錠止手段１０は、実施形態では、錠箱４に内装されたロック片１４と、このロック片と連係すると共に、制御バネ１６に制御される回動体１５と、該回動体を介して前記ロック片と連係する解除片１７とを備えている。
【００２５】
（３）本発明の特徴事項
図３は平面視から見た概略説明図、図４は主要部を含む全体の環境を上方から見た斜視図（扉を省略）である。本発明の特徴事項は、室内側のサムターン代用スライド操作部材１１等であるが、従属的に室外側の非常用スライド操作部材１１Ａ等も発明の特定要件としていので、図３、図４、図８等で室外側の非常用スライド操作部材１１Ａ等も示してある。
【００２６】
さて、本発明の特徴事項は、ラッチ錠Ｘの錠箱４の後壁４ａに形成した案内開口２２からラッチ錠Ｘの仮錠止手段１０を構成する長板状の解除片１７の後端部（外端部）１７ｂを貫通状態に露出させ、一方、室内側の把手用取付け台座５をその背面凸状部分５ｂが前記錠箱４の幅広側壁４ｂに重ならないように扉３の内壁３ｂに形成した窓状開口部６に嵌合固定し、前記解除片１７の後端部１７ｂと前記把手用取付け台座５に水平方向に摺動するように設けられかつ視覚上扁平板状の摘み操作部分が該把手用取付け台座５の前壁に沿って移動するサムターン代用スライド操作部材１１とを連結したことである。
【００２７】
しかして、実施形態では、図５で示すように、スライド操作部材１１は、連結手段としての連結杆３１及び連結孔３２を介して長板状の解除片１７の後端部１７ｂに連結され、かつ把手用取付け台座５の背面凸状部分５ｂの一端部（実施形態では上端部）に固定された案内レール（実施形態では二本のレール）３３に案内されるスライダー３４と、表側に扁平板状の摘み操作部分３５ａを有すると共に、裏側に前記スライダー３４の複数の爪片状の被係合突片部分３４ｂ、３４ｂと係合するトラック形状或いは矩形状の係合部分３５ｂを有する操作板本体３５とから成る。
【００２８】
そして、実施形態では、スライド操作部材１１の操作板本体３５は、その矩形状の係合部分３５ｂが把手用取付け台座５のフランジ部分５ａの上部側前壁に水平方向に形成した嵌合長孔３８内に嵌合していると共に、その扁平板状の摘み操作部分３５ａは、前記上部側前壁に沿って摺動するように案内レール３３側の板状のスライダー３４に連結手段３１、３２を介して一体的に結合している。
【００２９】
ところで、実施形態のスライダー３４は、図４及び図５で示すように、その下面中央部に案内レール３３に案内される突起状被ガイド３６を有する幅広水平部分３４ａと、この幅広水平部分３４ａの他端部（被係合突片部分３４ｂとは反対側の端部）を直交状態に折り曲げ形成した端板部分３４ｃに設けられた連結杆３１と、この連結杆３１と対向する係止突片３７とを有し、前記連結杆３１と係止突片３７は錠箱４の後壁４ａの外壁面後方に位置した状態で、外側の非常用スライド操作部材１１Ａの係合部分と一体的に係合している。
【００３０】
この点に関して、非常用スライド操作部材１１Ａの分解斜視図である図８、平面視の図３等を参照にして付言すると、実施形態では、扉３の外壁３ｃにも内壁側の窓状開口部に対応する窓状開口部６Ａが形成され、該窓状開口部に外側の把手用取付け台座５Ａが嵌合固定されていると共に、該外側の把手用取付け台座５Ａの一端部（実施形態では上端部）に内側のサムターン代用のスライド操作部材１１に互いの係合部分３１、３８、３９を介して非常用スライド操作部材１１Ａが一体的に連結され、該非常用スライド操作部材１１Ａを構成する操作板本体３５Ａの視覚上扁平板状の摘み操作部分３５ａが該外側の把手用取付け台座５Ａのフランジ部分の前壁に沿って移動するように構成されている。
【００３１】
なお、非常用スライド操作部材１１Ａの構成部材は、サムターン代用のスライド操作部材１１と同様なので、該スライド操作部材１１の符号を借用して非常用スライド操作部材１１Ａの構成部材の詳細説明は割愛する。
【００３２】
この非常用スライド操作部材１１Ａも、室外側のスライダー３４Ａと、該スライダーの被係合突片部分３４ｂ、３４ｂと係合する係合部分３５ｂを有する操作板本体３５Ａとから成る。そして、幅広水平部分３４ａの他端部を直交状態に折り曲げ形成した端板部分３４ｃには、前述した連結杆３１と係止突片３７に形成された隙間に入り込む突片状の係合部分３９が設けられている。
【００３３】
なお、前記操作板本体３５Ａの矩形状係合部分３５ｂは、実施形態では、外部からの差込み部材（例えば、コイン、係合ピン、クギ等）と係合する適宜形状の係合穴（切欠部分の含む）を有することから、操作部分３５ａの機能も兼用している。但し、矩形状係合部分３５ｂは、普通一般に外から指で摘んで操作できないような形態にすることが望ましい。その点が内側のスライド操作部材１１と若干相違する。
【００３４】
以上のように、第１実施形態の建具の扉用施錠装置は、少なくとも、扉３の自由端部に錠箱４が内装されるラッチ錠Ｘと、前記扉３の内壁３ｂに形成された窓状開口部６に嵌合固定される室外側の把手用取付け台座５と、前記ラッチ錠のラッチ９をロックすることができるように前記錠箱４に内装されたロック片１４や該ロック片と連係する解除片１７を備えた仮錠止手段１０と、前記解除片１７を手動で操作するために前記把手用取付け台座５に設けられかつ視覚上扁平板状の摘み操作部分３５ａを有するサムターン代用のスライド操作部材１１とから成り、前記把手用取付け台座５をその背面凸状部分５ｂが前記錠箱４の幅広側壁４ｂに重ならないように前記窓状開口部６に嵌合固定し、さらに、前記解除片１７の先端部（内端部）１７ａを前記仮錠止手段１０のロック片１４に直接又は間接的に連係させると共に、該解除片１７の後端部１７ｂを前記錠箱４の後壁４ａから突出させ、前記解除片１７の後端部１７ｂと前記スライド操作部材１１とを連結したので、水平方向に開閉する扉（開き戸）３に設けられたラッチ錠Ｘの仮錠止手段１０をロック又はロック解除を行う摘み式操作部材１１を、該扉３の内壁面３ｂから外方向へ極力突出させないようにすることができる。
【００３５】
そして、望ましくは、上記ラッチ錠Ｘの仮錠止手段１０は、錠箱４に内装されたロック片１４と、このロック片と連係すると共に、制御バネ１６に制御される回動体１５と、該回動体を介して前記ロック片と連係する解除片１７とを備えている。
【００３６】
また、扉３の外壁３ｃにも内壁側の窓状開口部に対応する外壁側の窓状開口部６Ａが形成され、該外壁側の窓状開口部に外側の把手用取付け台座５Ａが嵌合固定されていると共に、該外側の把手用取付け台座５Ａに設けた非常用スライド操作部材１１Ａが互いの係合部分３１、３８，３９を介してサムターン代用のスライド操作部材１１に連結されている。
【実施例】
【００３７】
まず、実施形態では、ラッチの一例として反転ラッチ９を用いたが、図１１で示すように、いわゆるラッチボルト９Ａであって良い。
【００３８】
次に、図１２及び図１３は本発明の第２実施形態を示す各説明図である。この第２実施形態に於いて、第１実施形態と主に異なる点は、ラッチ錠Ｘ１の仮錠止手段１０Ａの構成部材として、第１実施形態のような回動体１５が存在しないことである（部品点数の削減化を目的）。
【００３９】
すなわち、ラッチ錠Ｘ１の仮錠止手段１０Ａは、少なくともラッチ錠のラッチ９をロックすることができるように錠箱４に内装されたロック片１４Ａ及び該ロック片と連係する解除片１７を備え、前記ロック片１４Ａの基端部の側壁面には、多角形（例えば八角形、六角形など）の角型バネ受け部５１が突出状態に設けられ、一方、制御バネ１６Ａは、メガネバネではなく、Ｕ字形状のクリックバネであり、該Ｕ字形状のクリックバネ１６Ａは、錠箱４内に配設された複数個のバネ支持部５２、５３、５３を介して前記角型バネ受け部５１の各周面に圧接している。
【００４０】
ところで、前記一つの突起軸状バネ支持部５２は、クリックバネ１６Ａの半円弧状巻線端部を支持し、また、前記一対の小突起状バネ支持部５３、５３は、クリックバネ１６Ａの対向する他端部の外側をそれぞれ適宜に支持している。
【００４１】
上記の如く、ラッチ錠Ｘ１の仮錠止手段１０Ａの構成部材を簡略化しても、本発明の本質的事項には影響がない。したがって、本発明の第１実施形態の仮錠止手段１０に基づいて、本発明のラッチ錠の構成を限定的に解釈してはならない。なお、指摘するまでない事項であるが、部材の構成に於いて、被係合突片部分と係合する係合部分の関係は逆にあっても良い。
【産業上の利用可能性】
【００４２】
本発明は建具や錠前の分野で利用される。
【符号の説明】
【００４３】
Ｘ…ラッチ錠、１…戸枠、２…受け金具、３…扉（開き戸）、３ａ…端面、３ｂ…内壁、３ｃ…外壁、４…錠箱、４ａ…後壁、４ｂ…幅広側壁、５、５Ａ…把手用取付け台座、５ａ…フランジ部分、５ｂ…背面凸状部分、６、６Ａ…窓状開口部、７…把手、８…凹所、９、９Ａ…ラッチ（反転ラッチ、ラッチボルト）、１０、１０Ａ…仮錠止手段、１１…サムターン代用スライド操作部材、１４、１４Ａ…ロック片、１５…回動体、１６、１６Ａ…制御バネ、１７…解除片、１７ａ…先端部（内端部）、１７ｂ…後端部（外端部）、１９…可動ピン、２０…案内部分（案内長孔）、２２…案内開口、３２…連結手段、３３…案内レール、３４、３４Ａ…スライダー、３５…操作板本体、３５ａ…摘み操作部分、３６…突起状被ガイド、３７…係止突片、３８…嵌合長孔、３９…係合部分、１１Ａ…非常用スライド操作部材。
【図１】
2012211497.tif 000003
【図２】
2012211497.tif 000004
【図３】
2012211497.tif 000005
【図４】
2012211497.tif 000006
【図５】
2012211497.tif 000007
【図６】
2012211497.tif 000008
【図７】
2012211497.tif 000009
【図８】
2012211497.tif 000010
【図９】
2012211497.tif 000011
【図１０】
2012211497.tif 000012
【図１１】
2012211497.tif 000013
【図１２】
2012211497.tif 000014
【図１３】
2012211497.tif 000015